(57)【要約】【課題】  移動体が移動することにより受信可能な放送局が変化した際に、効率良く放送局のＥＭＭを受信し、放送コンテンツを視聴できない状態の発生を抑制する。【解決手段】  制御ユニット１９０は、車両の位置情報ＰＳＩ及び放送局リスト情報１８１に基づいて、移動に伴い受信可能な放送局が変化したか否かを判断する。そして、受信可能な放送局が変化したと判断した場合には、制御ユニット１９０は、まず、現在視聴中の放送局の系列局の局個別データが取得済みか否かを判定する。この判定の結果が否定的であった場合には、制御ユニット１９０は、系列局の局個別データ取得の制御を行い、局個別データを取得させる。その後、制御ユニット１９０は、他の受信可能な放送局について局個別データ未取得の放送局があるか否かを判定し、この判定の結果が肯定的であった場合に、未取得の局個別データのサーチ取得処理を実行する。【選択図】  図１
2015144396.tif 000002
【特許請求の範囲】
【請求項１】
移動体とともに移動し、放送波を受信する放送受信装置であって、
前記移動体の現在位置を取得する位置取得部と；
地域情報と、前記地域情報により示される放送地域において受信可能な放送局とが対応付けられた放送局リスト情報を記憶する記憶部と；
放送局から送信され、第１鍵情報を含む局個別データが第２鍵情報で暗号化された個別情報を受信して処理する個別情報受信処理部と；
前記個別情報受信処理部を制御する制御部と；を備え、
前記制御部は、前記移動体の現在位置及び前記放送局リスト情報に基づいて、受信可能な放送局が変化したと判断した場合に、前記個別情報受信処理部に対して、前記受信可能な放送局ごとに、個別情報を受信して処理させる制御を行う、
ことを特徴とする放送受信装置。
【請求項２】
前記放送波を受信し、前記放送波に基づく放送コンテンツを出力するコンテンツ受信処理部を更に備え、
前記制御部は、前記受信可能な放送局が変化したと判断した場合に、前記個別情報受信処理部に対して、前記コンテンツ受信処理部が現在選局中の放送局の系列局が送信する個別情報の受信処理を、他の放送局が送信する個別情報の受信処理に優先させる制御を行う、
ことを特徴とする請求項１に記載の放送受信装置。
【請求項３】
前記放送波は、少なくとも第１鍵情報及び第２鍵情報で暗号化された第１放送波と、暗号化されていない第２放送波を含み、
前記コンテンツ受信処理部は、前記制御部による制御のもとで、
前記個別情報受信処理部が、前記個別情報を受信処理する局個別データを取得するまでの期間においては、前記第２放送波に基づく放送コンテンツを出力し、
前記個別情報受信処理部が、前記局個別データを取得した後においては、前記第１放送波に基づく放送コンテンツを出力する、
ことを特徴とする請求項２に記載の放送受信装置。
【請求項４】
前記個別情報受信処理部は、前記第２鍵情報を用いて前記個別情報を復号した後に、前記第１鍵情報を含む局個別データを取得して保管し、
前記コンテンツ受信処理部は、前記保管されている局個別データを用いて、暗号化された放送コンテンツを復号する、
ことを特徴とする請求項２又は３に記載の放送受信装置。
【請求項５】
移動体とともに移動し、放送波を受信する放送受信装置であって、
放送局から送信され、第１鍵情報を含む局個別データが第２鍵情報で暗号化された個別情報を受信して処理する個別情報受信処理部と；
前記放送局から送信される放送コンテンツを受信して処理するコンテンツ受信処理部と；
前記個別情報受信処理部及び前記コンテンツ受信処理部を制御する制御部と；を備え、
前記放送波は、少なくとも第１鍵情報及び第２鍵情報で暗号化された第１放送波と、暗号化されていない第２放送波を含み、
前記コンテンツ受信処理部は、前記制御部による制御のもとで、
前記個別情報受信処理部が、前記個別情報を受信処理する局個別データを取得するまでの期間においては、前記第２放送波に基づく放送コンテンツを出力し、
前記個別情報受信処理部が、前記局個別データを取得した後においては、前記第１放送波に基づく放送コンテンツを出力する、
ことを特徴とする放送受信装置。
【請求項６】
移動体の現在位置を取得する位置取得部と；地域情報と、前記地域情報により示される放送地域において受信可能な放送局とが対応付けられた放送局リスト情報を記憶する記憶部と；放送局から送信され、第１鍵情報を含む局個別データが第２鍵情報で暗号化された個別情報を受信して処理する個別情報受信処理部と；前記個別情報受信処理部を制御する制御部と；を備え、前記移動体とともに移動し、前記放送波を受信する放送受信装置において使用される受信処理方法であって、
前記位置取得部が、前記移動体の現在位置を取得する取得工程と；
前記制御部が、前記移動体の現在位置及び前記放送局リスト情報に基づいて、受信可能な放送局が変化したと判断した場合に、前記個別情報受信処理部に対して、前記受信可能な放送局ごとに、個別情報を受信して処理させる制御を行う制御工程と；
を備えることを特徴とする放送受信方法。
【請求項７】
放送受信装置が有するコンピュータに、請求項６に記載の放送受信方法を実行させる、ことを特徴とする放送受信プログラム。  
【請求項８】
放送受信装置が有するコンピュータにより読み取り可能に、請求項７に記載の放送受信プログラムが記録されている、ことを特徴とする記録媒体。  
【発明の詳細な説明】
【技術分野】
【０００１】
本発明は、放送受信装置、放送受信方法、放送受信プログラム、及び、当該放送受信プログラムが記録された記録媒体に関する。
【背景技術】
【０００２】
近年、地上テレビジョン放送については、地上アナログ放送から地上デジタル放送へと移行した。この地上デジタル放送では、放送局から送信される放送番組の画質や音質の劣化がないことから、放送番組を大量にコピーされること等を防止するため、著作権保護機能を設けている。
【０００３】
こうした著作権保護機能として、放送局では、権利保護に従う正規の放送受信装置のみが受信できるように、放送コンテンツを暗号化して送信する。そして、正規の放送受信装置側では、配られた復号鍵を使用して、暗号化された放送コンテンツを復号するようになっている。こうした著作権保護のサービスを実現するため、放送コンテンツのアクセス制御に関する機能を有するＩＣ（Integrated Circuit）カード等を放送受信装置に装着する限定受信方式（Conditional Access System）が用いられてきたが、最近、ＩＣカード等を必要としないコンテンツ権利保護専用方式の運用が開始された。
【０００４】
このコンテンツ権利保護専用方式（以下、「コンテンツ保護方式」とも記す）では、予め、正規の放送受信装置にデバイス鍵を書き込んでおく。そして、地上デジタル放送の受信処理に際して、正規の放送受信装置は、まず、暗号化して送信されたＥＭＭ（Entitlement Management Message）と称される個別情報（受信機のメーカ単位の関連情報）をデバイス鍵で復号し、復号したＥＭＭからワーク鍵を取り出す。次いで、暗号化して送信されたＥＣＭ（Entitlement Control Message）と称される共通情報（受信機共通の関連情報）をワーク鍵で復号して、復号したＥＣＭからスクランブル鍵を取り出す。そして、スクランブル鍵を用いて、放送コンテンツに掛けられた暗号を解くようになっている。このように、放送局が送信する地上デジタル放送の放送コンテンツを視聴するためには、視聴に先立って当該放送局が送信するＥＭＭを受信する必要がある。
【０００５】
ここで、地上デジタル放送の場合には、ＥＭＭは、再送周期が１５秒となっており、当該ＥＭＭの取得に必要なＣＡＴ（Conditional Access Table）の再送周期が１０秒のため、ＥＭＭ取得に掛る時間は典型的には１０秒前後、遅いときには２５秒程度掛る可能性がある（以下、ＥＭＭの取得に要する時間を「ＥＭＭ取得待ち時間」とも記す）。このため、利用者が放送局を選局した際に、当該放送局から送信されるＥＭＭを受信していなかった場合には、最長でＥＭＭ取得待ち時間長の期間、放送コンテンツを視聴することができない。
【０００６】
なお、地上デジタル放送では、Ａ階層放送（ワンセグ放送）及びＢ階層放送（１２セグ放送）があり、同一の番組を同時に放送する同時放送（サイマル放送）を行っている。そして、放送局は、著作権保護のため、高画質及び高音質のＢ階層の放送コンテンツのみを暗号化して送信している。
【０００７】
こうしたコンテンツ保護方式の策定に伴い、当該方式の処理機能を備えた放送受信機の技術が提案されている（特許文献１参照：以下、「従来例」と呼ぶ）。この従来例の技術では、装置購入時や引越し時等に、その地域において視聴可能な放送チャンネルを検出するため、複数のチューナを用意する。そして、１つのチューナを用いて、チャンネルを順次選局して視聴可能なチャンネルの情報を取得する第１初期スキャンを実行する。次いで、未使用のチューナを用いて、第１初期スキャンで視聴可能と検出されたチャンネルを選局してＥＭＭを受信し、当該受信後に次の視聴可能と検出されたチャンネルの選局及びＥＭＭの受信動作に移行する第２初期スキャンを実行するようになっている。
【先行技術文献】
【特許文献】
【０００８】
【特許文献１】特開２００８−３０１２９２号公報
【発明の概要】
【発明が解決しようとする課題】
【０００９】
ところで、放送受信装置が移動体に配置される場合には、移動体の移動に伴い受信可能な放送局が変化することがある。そして、受信可能な放送局が変化した場合に、当該受信可能な放送局から送信されるＥＭＭを受信していないときには、最長でＥＭＭ取得待ち時間長の期間、放送コンテンツを視聴できない。
【００１０】
上述した従来例の技術では、放送受信機を移動体に搭載した場合に、移動体の移動に伴い受信可能な放送局が変化したことを判断する機能を持ちあわせていない。したがって、従来例の技術では、移動体の移動により受信可能な放送局が変化し、放送コンテンツの視聴ができない事態が発生した場合には、第１初期スキャン及び第２初期スキャンをやり直す必要がある。かかる第１及び第２初期スキャンのやり直しを行うと、当該初期スキャンの期間にわたって、放送コンテンツの視聴ができなくなる。
【００１１】
また、従来例の技術では、第２初期スキャンで放送局のＥＭＭを受信している間には、当該放送局が送信する放送コンテンツを視聴することができない。
【００１２】
このため、移動体の現在位置が移動することにより受信可能な放送局が変化した際に、効率良く放送局のＥＭＭを受信し、放送コンテンツを視聴できない状態の発生を抑制することができる技術が望まれている。かかる要請に応えることが、本発明が解決すべき課題の一つとして挙げられる。
【課題を解決するための手段】
【００１３】
請求項１に記載の発明は、移動体とともに移動し、放送波を受信する放送受信装置であって、前記移動体の現在位置を取得する位置取得部と；地域情報と、前記地域情報により示される放送地域において受信可能な放送局とが対応付けられた放送局リスト情報を記憶する記憶部と；放送局から送信され、第１鍵情報を含む局個別データが第２鍵情報で暗号化された個別情報を受信して処理する個別情報受信処理部と；前記個別情報受信処理部を制御する制御部と；を備え、前記制御部は、前記移動体の現在位置及び前記放送局リスト情報に基づいて、受信可能な放送局が変化したと判断した場合に、前記個別情報受信処理部に対して、前記受信可能な放送局ごとに、個別情報を受信して処理させる制御を行う、ことを特徴とする放送受信装置である。
【００１４】
請求項５に記載の発明は、移動体とともに移動し、放送波を受信する放送受信装置であって、放送局から送信され、第１鍵情報を含む局個別データが第２鍵情報で暗号化された個別情報を受信して処理する個別情報受信処理部と；前記放送局から送信される放送コンテンツを受信して処理するコンテンツ受信処理部と；前記個別情報受信処理部及び前記コンテンツ受信処理部を制御する制御部と；を備え、前記放送波は、少なくとも第１鍵情報及び第２鍵情報で暗号化された第１放送波と、暗号化されていない第２放送波を含み、前記コンテンツ受信処理部は、前記制御部による制御のもとで、前記個別情報受信処理部が、前記個別情報を受信処理する局個別データを取得するまでの期間においては、前記第２放送波に基づく放送コンテンツを出力し、前記個別情報受信処理部が、前記局個別データを取得した後においては、前記第１放送波に基づく放送コンテンツを出力する、ことを特徴とする放送受信装置である。
【００１５】
請求項６に記載の発明は、移動体の現在位置を取得する位置取得部と；地域情報と、前記地域情報により示される放送地域において受信可能な放送局とが対応付けられた放送局リスト情報を記憶する記憶部と；放送局から送信され、第１鍵情報を含む局個別データが第２鍵情報で暗号化された個別情報を受信して処理する個別情報受信処理部と；前記個別情報受信処理部を制御する制御部と；を備え、前記移動体とともに移動し、前記放送波を受信する放送受信装置において使用される受信処理方法であって、前記位置取得部が、前記移動体の現在位置を取得する取得工程と；前記制御部が、前記移動体の現在位置及び前記放送局リスト情報に基づいて、受信可能な放送局が変化したと判断した場合に、前記個別情報受信処理部に対して、前記受信可能な放送局ごとに、個別情報を受信して処理させる制御を行う制御工程と；を備えることを特徴とする放送受信方法である。
【００１６】
請求項７に記載の発明は、放送受信装置が有するコンピュータに、請求項６に記載の放送受信方法を実行させる、ことを特徴とする放送受信プログラムである。
【００１７】
請求項８に記載の発明は、放送受信装置が有するコンピュータにより読み取り可能に、請求項７に記載の放送受信プログラムが記録されている、ことを特徴とする記録媒体である。
【図面の簡単な説明】
【００１８】
【図１】本発明の一実施形態に係る放送受信装置の構成を概略的に示すブロック図である。
【図２】図１の記憶ユニットに記憶される放送局リスト情報の内容の例を説明するための図である。
【図３】図２の放送局リスト情報に示されている放送地域及び放送局を、模式的に説明するための図である。
【図４】図１の再生処理ユニットの構成を示すブロック図である。
【図５】図４の復号鍵管理部の構成を示すブロック図である。
【図６】図４のコンテンツ復号部の構成を示すブロック図である。
【図７】図１の装置による局個別データ（ワーク鍵）の取得制御処理を説明するためのフローチャートである。
【図８】図７の受信可能な放送局の局個別データのサーチ取得処理を説明するためのフローチャートである。
【図９】更新後の放送局リスト情報の内容の例を説明するための図である。
【発明を実施するための形態】
【００１９】
以下、本発明の一実施形態を、図１〜図９を参照して説明する。なお、以下の説明及び図面においては、同一又は同等の要素には同一の符号を付し、重複する説明を省略する。
【００２０】
［構成］
図１には、一実施形態に係る放送受信装置１００の概略的な構成がブロック図にて示されている。本実施形態では、放送受信装置１００は、移動体である車両内に配置され、地上デジタルテレビジョン放送波を受信して処理する。この車両には、位置検出ユニット５００が装備され、放送受信装置１００に接続されている。この放送受信装置１００は、コンテンツ保護方式に対応可能なものとなっている。
【００２１】
また、この放送受信装置１００は、Ａ階層放送（ワンセグ放送）の放送コンテンツ及びＢ階層放送（１２セグ放送）の放送コンテンツを再生可能な装置となっている。なお、地上デジタルテレビジョン放送では、Ｂ階層放送の放送コンテンツは、放送局により暗号化されて放送され、Ａ階層放送の放送コンテンツは、暗号化されないで放送されている。
【００２２】
上記の位置検出ユニット５００は、ＧＰＳ（Global Positioning System）受信機等を備え、複数のＧＰＳ衛星から送られる電波の受信結果に基づいて、車両の位置（現在位置）を逐次検出する。そして、位置検出ユニット５００は、検出された車両の位置情報を放送受信装置１００へ送る。
【００２３】
＜放送受信装置１００の構成＞
次に、上記の放送受信装置１００の構成について、説明する。
【００２４】
放送受信装置１００は、図１に示されるように、アンテナ１１０と、ＲＦ処理ユニット１２０E，１２０Cと、再生処理ユニット１３０とを備えている。また、放送受信装置１００は、入力ユニット１４０と、音出力ユニット１５０と、表示ユニット１６０とを備えている。さらに、放送受信装置１００は、位置取得ユニット１７０と、記憶ユニット１８０と、制御ユニット１９０とを備えている。
【００２５】
上記のアンテナ１１０は、放送局から送信されている地上デジタルテレビジョン放送波を受信する。アンテナ１１０による受信信号ＲＦＳは、ＲＦ処理ユニット１２０E，１２０Cへ送られる。
【００２６】
上記のＲＦ処理ユニット１２０Eは、アンテナ１１０から送られた受信信号ＲＦＳを受ける。そして、ＲＦ処理ユニット１２０Eは、制御ユニット１９０から送られた選局指令ＣＳＬEに従って、選局すべき放送局の信号を受信信号ＲＦＳから抽出する選局処理を行い、所定の中間周波数帯の成分を有する中間周波信号に変換する。こうして得られた中間周波信号は、信号ＩＦＤEとして再生処理ユニット１３０へ送られる。ここで、信号ＩＦＤEは、デジタル信号になっている。
【００２７】
上記のＲＦ処理ユニット１２０Cは、アンテナ１１０から送られた受信信号ＲＦＳを受ける。そして、ＲＦ処理ユニット１２０Cは、制御ユニット１９０から送られた選局指令ＣＳＬCに従って、選局すべき希望放送局の信号を受信信号ＲＦＳから抽出する選局処理を行い、所定の中間周波数帯の成分を有する中間周波信号に変換する。こうして得られた中間周波信号は、信号ＩＦＤCとして再生処理ユニット１３０へ送られる。ここで、信号ＩＦＤCは、デジタル信号になっている。
【００２８】
上記の再生処理ユニット１３０は、制御ユニット１９０による制御のもとで、ＲＦ処理ユニット１２０E，１２０Cから送られる信号ＩＦＤE，ＩＦＤCを処理して、音出力ユニット１５０へ供給する音声データＡＤＴ及び表示ユニット１６０へ供給する映像データＩＤＴを生成する。再生処理ユニット１３０の構成の詳細については、後述する。
【００２９】
上記の入力ユニット１４０は、放送受信装置１００の本体部に設けられたキー部、及び／又はキー部を備えるリモート入力装置等により構成される。ここで、本体部に設けられたキー部としては、表示ユニット１６０の表示デバイスに設けられたタッチパネルを用いることができる。また、キー部を有する構成に代えて、又は併用して音声認識技術を利用して音声にて入力する構成を採用することもできる。
【００３０】
この入力ユニット１４０を利用者が操作することにより、放送受信装置１００の動作内容の設定や動作指令の入力が行われる。例えば、放送局を指定した選局指定等の利用者による入力が、入力ユニット１４０を利用して行われる。入力ユニット１４０への入力内容は、入力データＩＰＤとして、制御ユニット１９０へ送られる。
【００３１】
上記の音出力ユニット１５０は、（ｉ）再生処理ユニット１３０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１５０は、選局されているチャンネルの放送波に対応する放送音声を再生出力する。
【００３２】
上記の表示ユニット１６０は、例えば、（ｉ）液晶パネル、有機ＥＬ（Electro Luminescence）パネル、ＰＤＰ（Plasma Display Panel）等の表示デバイスと、（ii）再生処理ユニット１３０から送られた映像データＩＤＴに基づいて、当該表示デバイスに画像を表示させる表示制御回路とを備えている。この表示ユニット１６０は、選局されているチャンネルに対応する放送映像を再生表示する。
【００３３】
上記の位置取得ユニット１７０は、位置検出ユニット５００から送られた車両の位置情報を受ける。そして、位置取得ユニット１７０は、取得した車両の位置情報ＰＳＩを、制御ユニット１９０へ送る。本実施形態では、位置取得ユニット１７０は、位置取得部の機能を果たすようになっている。
【００３４】
上記の記憶ユニット１８０は、ハードディスク装置等の不揮発性の記憶装置を備えて構成され、放送受信装置１００において利用される様々な情報データが記憶される。こうした情報データには、放送局リスト情報１８１等が含まれている。この放送局リスト情報１８１の内容については、後述する。記憶ユニット１８０には、制御ユニット１９０がアクセスできるようになっている。記憶ユニット１８０は、記憶部の機能を果たすようになっている。
【００３５】
上記の制御ユニット１９０は、様々な処理を行うとともに、放送受信装置１００の全体の動作を制御する。この制御ユニット１９０により行われる処理には、利用者による希望放送局の選局指定に対応した選局処理、Ａ階層放送及びＢ階層放送のうちのいずれかを出力対象放送に選択する階層選択処理が含まれる。また、制御ユニット１９０により行われる処理には、放送局リスト情報の管理及び局個別データの取得制御処理等が含まれる。
【００３６】
選局処理に際して、入力ユニット１４０から送られた選局指定を受けると、制御ユニット１９０は、選局指定により指定された希望放送局に対応する選局指令ＣＳＬCを生成する。そして、制御ユニット１９０は、生成された選局指令ＣＳＬCをＲＦ処理ユニット１２０Cへ送る。また、制御ユニット１９０は、選局処理に際して、指定された希望放送局の情報を、選局情報ＣＩＩとして再生処理ユニット１３０へ送る。
【００３７】
階層選択処理に際して、制御ユニット１９０は、選局指定された希望放送局の局個別データを取得しているか否かを、記憶ユニット１８０の放送局リスト情報１８１に基づいて判定する。そして、当該局個別データを取得していないと判定した場合には、制御ユニット１９０は、Ａ階層放送を出力対象放送に選択する選択指令ＳＬＢを生成して、再生処理ユニット１３０へ送る。また、当該局個別データを取得していると判定した場合には、制御ユニット１９０は、Ｂ階層放送を出力対象放送に選択する選択指令ＳＬＢを生成して、再生処理ユニット１３０へ送る。
【００３８】
また、放送局リスト情報の管理及び局個別データの取得制御処理に際して、制御ユニット１９０は、車両の位置情報ＰＳＩ及び放送局リスト情報１８１に基づいて、受信可能な放送局の局個別データを全て取得しているか否かを判断する。そして、局個別データを取得していない受信可能な放送局がある場合には、当該取得していない放送局の局個別データ取得の制御を行うとともに、再生処理ユニット１３０から送られる管理報告ＣＲＰを受けて、放送局リスト情報１８１の内容を更新する。
【００３９】
また、制御ユニット１９０は、車両の位置情報ＰＳＩ及び放送局リスト情報１８１に基づいて、車両の移動に伴い受信可能な放送局が変化したと判断した場合にも、受信可能な放送局の局個別データを全て取得しているか否かを判断する。そして、局個別データを取得していない受信可能な放送局がある場合には、上述した局個別データ取得の制御及び放送局リスト情報１８１の内容の更新処理を行う。
【００４０】
かかる局個別データ取得の制御に際して、制御ユニット１９０は、局個別データを取得していない放送局に対応する選局指令ＣＳＬEを生成する。そして、制御ユニット１９０は、生成された選局指令ＣＳＬEをＲＦ処理ユニット１２０Eへ送る。
【００４１】
すなわち、制御ユニット１９０は、制御部としての機能を果たすようになっている。制御ユニット１９０が実行する制御処理の詳細については、後述する。
【００４２】
《記憶ユニット１８０の内容》
次に、図１の記憶ユニット１８０内に記憶される放送局リスト情報１８１について説明する。
【００４３】
上記の放送局リスト情報１８１には、図２に示されるように、放送地域ごとに、当該放送地域で受信可能な放送局の情報が記憶されている。この放送局の情報には、放送局名、物理チャンネル、系列情報、ワーク鍵の収集の有無等が含まれている。なお、放送局のワーク鍵を収集している場合には、当該ワーク鍵を収集した日時が放送局リスト情報１８１に記録されている。また、各放送局の中継局を考慮する場合には、各放送局は複数の物理チャンネルを有するが、図２では便宜上、物理チャンネルは１つのみ記載した。
【００４４】
また、図３には、図２に示される放送地域と、当該放送地域で受信できる放送局が、模式的に示されている。ここで、図３に示される領域ＡＲABは、放送地域ＡＡＡに属する放送局Ａ１，Ａ２，Ａ３及び放送地域ＢＢＢに属する放送局Ｂ１，Ｂ２，Ｂ３から送信される放送波が受信可能な領域となっている。また、領域ＡＲBCは、放送地域ＢＢＢに属する放送局Ｂ１，Ｂ２，Ｂ３及び放送地域ＣＣＣに属する放送局Ｃ１，Ｃ２，Ｃ３から送信される放送波が受信可能な領域となっている。
【００４５】
《再生処理ユニット１３０の構成》
次に、再生処理ユニット１３０の構成について説明する。
【００４６】
再生処理ユニット１３０は、図４に示されるように、復調部１３１E，１３１Cと、デマルチプレクサ部１３２E，１３２Cとを備えている。また、再生処理ユニット１３０は、復号鍵管理部１３５と、コンテンツ復号部１３７とを備えている。
【００４７】
上記の復調部１３１Eは、ＲＦ処理ユニット１２０Eから送られた信号ＩＦＤEを受ける。そして、復調部１３１Eは、信号ＩＦＤEに対してＯＦＤＭ（Orthogonal Frequency Division Multiplex）復調を施す。こうして復調された信号は、信号ＤＭＤEとして、デマルチプレクサ部１３２Eへ送られる。
【００４８】
上記の復調部１３１Cは、ＲＦ処理ユニット１２０Cから送られた信号ＩＦＤCを受ける。そして、復調部１３１Cは、信号ＩＦＤCに対してＯＦＤＭ復調を施す。こうして復調された信号は、信号ＤＭＤCとして、デマルチプレクサ部１３２Cへ送られる。
【００４９】
上記のデマルチプレクサ部１３２Eは、復調部１３１Eから送られた信号ＤＭＤEを受ける。そして、デマルチプレクサ部１３２Eは、信号ＤＭＤEからＥＭＭを分離する。こうして分離されたＥＭＭは、復号鍵管理部１３５へ送られる。ここで、ＥＭＭは、デバイス鍵（第１鍵情報）を含む局個別データがデバイス鍵（第２鍵情報）で暗号化された個別情報である。
【００５０】
上記のデマルチプレクサ部１３２Cは、復調部１３１Cから送られた信号ＤＭＤCを受ける。そして、デマルチプレクサ部１３２Cは、信号ＤＭＤCをＡ階層データパケットＡＰＫ、暗号化Ｂ階層データパケットＥＰＫ及びＥＣＭに分離する。こうして分離されたＡ階層データパケットＡＰＫ及び暗号化Ｂ階層データパケットＥＰＫは、コンテンツ復号部１３７へ送られる。また、分離されたＥＣＭは、復号鍵管理部１３５へ送られる。
【００５１】
上記の復号鍵管理部１３５は、デマルチプレクサ部１３２Eから送られたＥＭＭを受ける。また、復号鍵管理部１３５は、デマルチプレクサ部１３２Cから送られたＥＣＭを受ける。そして、復号鍵管理部１３５は、ＥＭＭを復号して得られる局個別データを管理する。また、復号鍵管理部１３５は、制御ユニット１９０による制御のもとで、スクランブル鍵ＫSをコンテンツ復号部１３７へ送る。復号鍵管理部１３５の構成の詳細については、後述する。
【００５２】
上記のコンテンツ復号部１３７は、デマルチプレクサ部１３２Cから送られたＡ階層データパケットＡＰＫ及び暗号化Ｂ階層データパケットＥＰＫを受ける。また、コンテンツ復号部１３７は、復号鍵管理部１３５から送られたスクランブル鍵ＫSを受ける。そして、コンテンツ復号部１３７は、制御ユニット１９０による制御のもとで、音声データＡＤＴを生成して音出力ユニット１５０へ送るとともに、映像データＩＤＴを生成して表示ユニット１６０へ送る。コンテンツ復号部１３７の構成の詳細については、後述する。
【００５３】
（復号鍵管理部１３５の構成）
上述した復号鍵管理部１３５の構成について説明する。
【００５４】
復号鍵管理部１３５は、図５に示されるように、デバイス鍵記憶部２２１と、ＥＭＭ復号部２２２と、局個別データ管理部２２３と、ＥＣＭ復号部２２４とを備えている。
【００５５】
上記のデバイス鍵記憶部２２１は、不揮発性メモリであり、放送受信装置１００に予め設定されるデバイス鍵ＫD（第２鍵情報）を記憶する。
【００５６】
上記のＥＭＭ復号部２２２は、デマルチプレクサ部１３２Eから送られるＥＭＭの中から受信機識別（デバイスＩＤ）の一致するＥＭＭを抽出する。そして、ＥＭＭ復号部２２２は、デバイス鍵記憶部２２１に記憶されたデバイス鍵ＫDを用いて当該抽出されたＥＭＭを復号し、ワーク鍵ＫW（第１鍵情報）を含む局個別データを取得する。こうして取得した局個別データは、局個別データ管理部２２３へ送られる。なお、受信機識別（デバイスＩＤ）は、受信機固有のＩＤではなく、受信機機種等を識別するＩＤである。
【００５７】
上記の局個別データ管理部２２３は、不揮発性メモリを備えて構成されており、放送局ごとの局個別データを管理する。この局個別データ管理部２２３は、ＥＭＭ復号部２２２から送られた局個別データを受ける。引き続き、局個別データ管理部２２３は、当該局個別データを不揮発性メモリに記憶して管理する。そして、局個別データ管理部２２３は、局個別データを記憶すると、局個別データの放送局情報を含む管理報告ＣＲＰを制御ユニット１９０へ送る。
【００５８】
ここで、局個別データは、放送局個別のワーク鍵ＫWを含んだデータであり、ＥＭＭを受信した放送局（ネットワーク／トランスポートストリーム）ごと記憶管理される。そして、放送局の局個別データを管理することにより、当該放送局の放送番組を視聴できるようになる。
【００５９】
上記のＥＣＭ復号部２２４は、デマルチプレクサ部１３２Cから送られるＥＣＭを受ける。また、ＥＣＭ復号部２２４は、制御ユニット１９０から送られる選局情報ＣＩＩを受ける。そして、ＥＣＭ復号部２２４は、選局情報ＣＩＩに示される放送局のワーク鍵ＫWを局個別データ管理部２２３から取り出す。そして、ＥＣＭ復号部２２４は、当該ワーク鍵ＫWを用いてＥＣＭを復号し、スクランブル鍵ＫSを取得する。こうして取得したスクランブル鍵ＫSは、コンテンツ復号部１３７へ送られる。
【００６０】
（コンテンツ復号部１３７の構成）
上述したコンテンツ復号部１３７の構成について説明する。
【００６１】
コンテンツ復号部１３７は、図６に示されるように、Ａ階層処理部２３１と、デスクランブル部２３２と、Ｂ階層処理部２３３と、選択部２３４とを備えている。
【００６２】
上記のＡ階層処理部２３１は、デマルチプレクサ部１３２Cから送られるＡ階層データパケットＡＰＫを受ける。そして、Ａ階層処理部２３１は、制御ユニット１９０による制御のもとで、地上デジタル放送におけるＡ階層放送に採用されているＨ．２６４／ＡＶＣ方式でエンコード化されたＡ階層データパケットＡＰＫのソースデコード処理を行い、Ａ階層放送に対応する音声データ及び映像データであるＡ階層データＡＡＶを生成する。こうして生成されたＡ階層データＡＡＶは、選択部２３４へ送られる。
【００６３】
上記のデスクランブル部２３２は、デマルチプレクサ部１３２Cから送られる暗号化Ｂ階層データパケットＥＰＫを受ける。また、デスクランブル部２３２は、復号鍵管理部１３５から送られるスクランブル鍵ＫSを受ける。そして、デスクランブル部２３２は、制御ユニット１９０による制御のもとで、スクランブル鍵ＫSを使用して、ＭＵＬＴＩ２方式により暗号化Ｂ階層データパケットＥＰＫに対してデスクランブルを行い、Ｂ階層データパケットＢＰＫを生成する。こうして生成されたＢ階層データパケットＢＰＫは、Ｂ階層処理部２３３へ送られる。
【００６４】
上記のＢ階層処理部２３３は、デスクランブル部２３２から送られるＢ階層データパケットＢＰＫを受ける。そして、Ｂ階層処理部２３３は、制御ユニット１９０による制御のもとで、地上デジタル放送におけるＢ階層放送に採用されているＭＰＥＧ２方式でエンコード化されたＢ階層データパケットＢＰＫのソースデコード処理を行い、Ｂ階層放送に対応する音声データ及び映像データであるＢ階層データＢＡＶを生成する。こうして生成されたＢ階層データＢＡＶは、選択部２３４へ送られる。
【００６５】
上記の選択部２３４は、Ａ階層処理部２３１から送られたＡ階層データＡＡＶ及びＢ階層処理部２３３から送られたＢ階層データＢＡＶを受ける。そして、選択部２３４は、制御ユニット１９０から送られた選択指令ＳＬＢに従って、Ａ階層データＡＡＶ及びＢ階層データＢＡＶのいずれかを選択する。選択部２３４において選択された階層データにおける音声データが、音声データＡＤＴとして音出力ユニット１５０へ送られる。また、選択部２３４において選択された階層データにおける映像データが、映像データＩＤＴとして表示ユニット１６０へ送られる。
【００６６】
［動作］
以上のようにして構成された放送受信装置１００の動作について、制御ユニット１９０による局個別データ（ワーク鍵）の取得制御処理に主に着目して説明する。
【００６７】
前提として、位置検出ユニット５００からは、検出された車両の現在位置が放送受信装置１００へ逐次送られているものとする。
【００６８】
局個別データの取得制御処理は、放送受信装置１００の電源が投入されることにより開始する。こうして局個別データの取得制御処理が開始されると、制御ユニット１９０は、入力ユニット１４０を利用して行われた選局指定により指定された希望放送局に対応する選局指令ＣＳＬCを生成して、ＲＦ処理ユニット１２０Cへ送る（図１参照）。
【００６９】
ＲＦ処理ユニット１２０Cは、当該選局指令ＣＳＬCを受けると、希望放送局の信号を受信信号ＲＦＳから抽出する選局処理を行い、所定の中間周波数帯の成分を有する信号ＩＦＤCに変換する。そして、ＲＦ処理ユニット１２０Cは、当該信号ＩＦＤCを再生処理ユニット１３０へ送る（図１参照）。
【００７０】
再生処理ユニット１３０では、復調部１３１Cが、ＲＦ処理ユニット１２０Cから送られた信号ＩＦＤCの復調処理を行い、信号ＤＭＤCを生成する。そして、復調部１３１Cは、生成された信号ＤＭＤCをデマルチプレクサ部１３２Cへ送る（図４参照）。次いで、デマルチプレクサ部１３２Cが、復調部１３１Cから送られた信号ＤＭＤCをＡ階層データパケットＡＰＫ、暗号化Ｂ階層データパケットＥＰＫ及びＥＣＭに分離する。そして、デマルチプレクサ部１３２Cは、Ａ階層データパケットＡＰＫをコンテンツ復号部１３７のＡ階層処理部２３１へ送るとともに、暗号化Ｂ階層データパケットＥＰＫをコンテンツ復号部１３７のデスクランブル部２３２へ送る（図６参照）。また、デマルチプレクサ部１３２Cは、分離されたＥＣＭを復号鍵管理部１３５のＥＣＭ復号部２２４へ送る（図５参照）。
【００７１】
このような状況のもとで、図７に示されるように、まず、ステップＳ１１において、制御ユニット１９０が、車両の位置情報ＰＳＩ及び放送局リスト情報１８１に基づいて、現在選局している放送局（以下、「視聴用選局中放送局」とも記す）の局個別データを取得しているか否かを判定する。この判定の結果が肯定的であった場合（ステップＳ１１：Ｙ）には、処理は、後述するステップＳ１５へ進む。
【００７２】
ステップＳ１１における判定の結果が否定的であった場合（ステップＳ１１：Ｎ）には、処理はステップＳ１２へ進む。このステップＳ１２では、制御ユニット１９０が、暗号化されていないＡ階層放送を出力対象放送に選択する選択指令ＳＬＢを生成する。そして、制御ユニット１９０は、生成された選択指令ＳＬＢを、コンテンツ復号部１３７の選択部２３４へ送る。こうして当該選択指令ＳＬＢが送られると、選択部２３４は、Ａ階層処理部２３１から送られたＡ階層データＡＡＶにおける音声データを、音声データＡＤＴとして音出力ユニット１５０へ送る。また、選択部２３４は、Ａ階層データＡＡＶにおける映像データを、映像データＩＤＴとして表示ユニット１６０へ送る。
【００７３】
引き続き、ステップＳ１３において、制御ユニット１９０が、視聴用選局中放送局の局個別データの取得処理を行う。かかる局個別データの取得処理に際して、制御ユニット１９０は、視聴用選局中放送局に対応する選局指令ＣＳＬEを生成して、ＲＦ処理ユニット１２０Eへ送る（図１参照）。この後、処理はステップＳ１４へ進む。
【００７４】
ステップＳ１４では、制御ユニット１９０が、局個別データの取得処理開始後に局個別データ管理部２２３から送られてくる管理報告ＣＲＰを新たに受けたか否かを判定することにより、局個別データを取得したか否かを判定する。この判定の結果が否定的であった場合（ステップＳ１４：Ｎ）には、ステップＳ１４の処理が繰り返される。一方、ステップＳ１４における判定の結果が肯定的であった場合（ステップＳ１４：Ｙ）には、処理はステップＳ１５へ進む。
【００７５】
ここで、ステップＳ１３において、制御ユニット１９０が、視聴用選局中放送局に対応する選局指令ＣＳＬEを生成して、ＲＦ処理ユニット１２０Eへ送った後の、制御ユニット１９０及び他の構成要素の動作について説明する。
【００７６】
制御ユニット１９０から当該選局指令ＣＳＬEが送られると、ＲＦ処理ユニット１２０Eは、受信信号ＲＦＳから、選局指令ＣＳＬEに従った信号ＩＦＤEを生成する。そして、ＲＦ処理ユニット１２０Eは、当該信号ＩＦＤEを再生処理ユニット１３０へ送る（図１参照）。再生処理ユニット１３０では、復調部１３１Eが、信号ＩＦＤEの復調処理を行い、信号ＤＭＤEを生成する。次いで、復調部１３１Eは、生成された信号ＤＭＤEをデマルチプレクサ部１３２Eへ送る（図４参照）。そして、デマルチプレクサ部１３２Eが、信号ＤＭＤEからＥＭＭを分離し、分離されたＥＭＭを復号鍵管理部１３５へ送る（図４参照）。
【００７７】
ＥＭＭを受けると、復号鍵管理部１３５では、ＥＭＭ復号部２２２が、当該ＥＭＭの中から受信機識別（デバイスＩＤ）の一致するＥＭＭを抽出する。そして、ＥＭＭ復号部２２２は、デバイス鍵記憶部２２１に記憶されたデバイス鍵ＫDを用いて当該抽出されたＥＭＭを復号し、局個別データを取得する。引き続き、ＥＭＭ復号部２２２は、取得した局個別データを局個別データ管理部２２３へ送る。局個別データ管理部２２３は、ＥＭＭ復号部２２２から送られた局個別データを受けると、当該局個別データを不揮発性メモリに記憶して管理し、局個別データの管理報告ＣＲＰを制御ユニット１９０へ送る（図５参照）。
【００７８】
管理報告ＣＲＰを受けると、制御ユニット１９０は、放送局リスト情報１８１の内容を、管理報告ＣＲＰに従って更新する。すなわち、今回局個別データを取得した放送局について、「ＫW収集」を「未」から「済」に変更する内容の更新を行う（図２参照）。
【００７９】
また、局個別データ管理部２２３に、視聴用選局中放送局の局個別データが記憶管理されると、ＥＣＭ復号部２２４は、当該放送局の局個別データに含まれるワーク鍵ＫWを取り出す。引き続き、ＥＣＭ復号部２２４は、このワーク鍵ＫWを使用して、デマルチプレクサ部１３２Cから送られるＥＣＭを復号し、スクランブル鍵ＫSを取得する。そして、ＥＣＭ復号部２２４は、取得したスクランブル鍵ＫSを、コンテンツ復号部１３７へ送る（図５参照）。
【００８０】
スクランブル鍵ＫSを受けると、コンテンツ復号部１３７では、デスクランブル部２３２が、スクランブル鍵ＫSを使用して、暗号化Ｂ階層データパケットＥＰＫに対してデスクランブルを行い、Ｂ階層データパケットＢＰＫを生成する。そして、デスクランブル部２３２は、生成されたＢ階層データパケットＢＰＫを、Ｂ階層処理部２３３へ送る。
【００８１】
引き続き、図７のステップＳ１４の処理終了後の制御ユニット１９０による局個別データ（ワーク鍵）の取得制御処理について説明する。
【００８２】
ステップＳ１５では、制御ユニット１９０が、Ｂ階層放送を出力対象放送に選択する選択指令ＳＬＢを生成する。そして、制御ユニット１９０は、生成された選択指令ＳＬＢを、選択部２３４へ送る。こうして選択指令ＳＬＢが送られると、選択部２３４は、Ｂ階層処理部２３３から送られたＢ階層データＢＡＶにおける音声データを、音声データＡＤＴとして音出力ユニット１５０へ送る。また、選択部２３４は、Ｂ階層データＢＡＶにおける映像データを、映像データＩＤＴとして表示ユニット１６０へ送る。
【００８３】
なお、上述したステップＳ１１〜Ｓ１５の処理は、局個別データの取得制御処理の開始時（放送受信装置１００の電源投入時）において、選局中の放送局についての制御ユニット１９０の処理である。
【００８４】
次いで、ステップＳ１６において、制御ユニット１９０が、車両の位置情報ＰＳＩ及び放送局リスト情報１８１に基づいて、現放送領域で現在受信可能な放送局のうちから、局個別データを未取得の放送局、又は、局個別データを取得している場合であっても、取得後、所定期間が経過した放送局があるか否かを判定する。なお、所定期間は、ワーク鍵の更新により放送コンテンツを視聴できなくなることを低減する観点から、予め定められる。この判定の結果が否定的であった場合（ステップＳ１６：Ｎ）には、処理は、後述するステップＳ１８へ進む。
【００８５】
ここで、現放送領域とは、局個別データの取得制御処理の開始時（放送受信装置１００の電源投入時）における車両の属する領域となっている。例えば、上述した図３における放送地域ＡＡＡの領域ＡＲABを除く領域が車両の現放送領域である場合には、現在受信可能な放送局は、放送局Ａ１，Ａ２，Ａ３となる。また、上述した図３における領域ＡＲABが車両の現放送領域である場合には、現在受信可能な放送局は、放送局Ａ１，Ａ２，Ａ３及び放送局Ｂ１，Ｂ２，Ｂ３となる。
【００８６】
ステップＳ１６における判定の結果が肯定的であった場合（ステップＳ１６：Ｙ）には、処理はステップＳ１７へ進む。このステップＳ１７では、制御ユニット１９０が、局個別データを未取得の全ての放送局、又は、局個別データの取得後、所定期間が経過した全ての放送局について、局個別データを取得するサーチ取得処理を実行する。かかるサーチ取得処理に際して、制御ユニット１９０は、局個別データ未取得の放送局を選局する選局指令ＣＳＬEを生成してＲＦ処理ユニット１２０Eへ送るとともに、局個別データ管理部２２３から管理報告ＣＲＰが送られてきたときに、当該管理報告ＣＲＰを受ける。制御ユニット１９０は、この選局指令ＣＳＬEの発行処理及び管理報告ＣＲＰの取得処理を、局個別データを未取得の放送局の全てに対して、順次行う。そして、局個別データ未取得の放送局についての全ての管理報告ＣＲＰを受けると、制御ユニット１９０は、放送局リスト情報１８１の内容を、管理報告ＣＲＰに従って更新する。この後、処理はステップＳ１８へ進む。
【００８７】
ここで、上述したステップＳ１６，Ｓ１７の処理は、局個別データの取得制御処理の開始時（放送受信装置１００の電源投入時）において、受信可能な放送局についての制御ユニット１９０の処理である。
【００８８】
ステップＳ１８では、制御ユニット１９０が、車両の位置情報ＰＳＩ及び放送局リスト情報１８１に基づいて、受信可能な放送局が変化したか否かを判定する。この判定の結果が否定的であった場合（ステップＳ１８：Ｎ）には、ステップＳ１８の処理が繰り返される。
【００８９】
車両の移動に伴い受信可能な放送局が変化し、ステップＳ１８における判定の結果が肯定的であった場合（ステップＳ１８：Ｙ）には、処理はステップＳ１９へ進む。なお、ステップＳ１８における判定の結果が肯定的になる場合として、例えば、車両が、図３における放送地域ＡＡＡの領域ＡＲABを除く領域から領域ＡＲABに移動した場合等が挙げられる。
【００９０】
ステップＳ１９では、「受信可能な放送局の局個別データのサーチ取得処理」が行われる。かかるステップＳ１９の処理の詳細については、後述する。そして、ステップＳ１９の処理が終了すると、処理はステップＳ１８へ戻る。
【００９１】
以後、ステップＳ１８，Ｓ１９の処理が繰り返されて、局個別データの取得制御処理が行われる。
【００９２】
＜受信可能な放送局の局個別データのサーチ取得処理＞
次に、上述したステップＳ１９における「受信可能な放送局の局個別データのサーチ取得処理」について説明する。
【００９３】
この「受信可能な放送局の局個別データのサーチ取得処理」は、図８に示されるように、まず、ステップＳ２１において、制御ユニット１９０が、放送局リスト情報１８１に基づいて、現在視聴中の放送局の系列局が、変化後の受信可能な放送局のうちにあるか否かを判定する。この判定の結果が否定的であった場合（ステップＳ２１：Ｎ）には、処理は後述するステップＳ２４へ進む。
【００９４】
ステップＳ２１における判定の結果が肯定的であった場合（ステップＳ２１：Ｙ）には、処理はステップＳ２２へ進む。このステップＳ２２では、現在視聴中の放送局の系列局の局個別データが取得済みか否かを判定する。この判定の結果が肯定的であった場合（ステップＳ２２：Ｙ）には、処理は後述するステップＳ２４へ進む。
【００９５】
ステップＳ２２における判定の結果が否定的であった場合（ステップＳ２２：Ｎ）には、処理はステップＳ２３へ進む。このステップＳ２３では、制御ユニット１９０が、系列局の局個別データの取得処理を行う。かかる局個別データの取得処理に際して、制御ユニット１９０は、系列局に対応する選局指令ＣＳＬEを生成して、ＲＦ処理ユニット１２０Eへ送る。そして、制御ユニット１９０は、局個別データ管理部２２３から送られてくる系列局についての管理報告ＣＲＰを受けると、放送局リスト情報１８１の内容を、管理報告ＣＲＰに従って更新する。この後、処理はステップＳ２４へ進む。
【００９６】
ステップＳ２４では、制御ユニット１９０が、系列局以外の受信可能な放送局について、局個別データを未取得の放送局、又は、局個別データを取得している場合であっても、取得後、所定期間が経過した放送局があるか否かを判定する。この判定の結果が否定的であった場合（ステップＳ２４：Ｎ）には、ステップＳ１９の処理が終了する。そして、処理は上述した図７のステップＳ１８へ戻る。
【００９７】
ステップＳ２４における判定の結果が肯定的であった場合（ステップＳ２４：Ｙ）には、処理はステップＳ２５へ進む。このステップＳ２５では、制御ユニット１９０が、局個別データを未取得の全ての放送局、又は、局個別データの取得後、所定期間が経過した全ての放送局について、局個別データを取得するサーチ取得処理を実行する。かかるサーチ取得処理に際して、制御ユニット１９０は、局個別データ未取得の放送局を選局する選局指令ＣＳＬEを生成してＲＦ処理ユニット１２０Eへ送るとともに、局個別データ管理部２２３から管理報告ＣＲＰが送られてきたときに、当該管理報告ＣＲＰを受ける。制御ユニット１９０は、この選局指令ＣＳＬEの発行処理及び管理報告ＣＲＰの取得処理を、局個別データを未取得の放送局の全てに対して、順次行う。そして、局個別データ未取得の放送局についての全ての管理報告ＣＲＰを受けると、制御ユニット１９０は、放送局リスト情報１８１の内容を、管理報告ＣＲＰに従って更新する。こうして放送局リスト情報１８１の内容が更新されると、ステップＳ１９の処理が終了する。そして、処理は上述した図７のステップＳ１８へ戻る。
【００９８】
ここで、放送受信装置１００の電源投入前の車両位置が、図３に示される放送地域ＡＡＡの領域ＡＲABを除く領域内であり、放送局リスト情報１８１の内容が図２に示されるものであったとする。そして、放送受信装置１００の電源が投入され、車両が領域ＡＲABに移動した場合には、放送局リスト情報１８１の内容は、図９に示されるものとなる。
【００９９】
以上説明したように、本実施形態では、制御ユニット１９０が、放送受信装置１００の電源投入後に、車両の位置情報ＰＳＩ及び放送局リスト情報１８１に基づいて、現在選局している放送局の局個別データを取得しているか否かを判定する。そして、現在選局している放送局の局個別データを取得していないと判定した場合には、暗号化されていないＡ階層放送を出力対象放送に選択する選択指令ＳＬＢを生成して、選択部２３４へ送る。引き続き、制御ユニット１９０は、放送コンテンツ再生用のＲＦ処理ユニット１２０Cが選局している放送局の局個別データ取得の制御を行う。この後、現在選局している放送局の局個別データを取得したと判断した場合には、デスクランブルされたＢ階層を出力対象放送に選択する選択指令ＳＬＢを生成して、選択部２３４へ送る。
【０１００】
このため、選局した放送局の局個別データを取得していない場合であっても、放送コンテンツの再生を迅速に開始することができ、局個別データを取得した後には、より高画質及び高音質の放送コンテンツの視聴へ迅速に切り替えることができる。
【０１０１】
また、本実施形態では、制御ユニット１９０は、車両の位置情報ＰＳＩ及び放送局リスト情報１８１に基づいて、現在視聴していない受信可能な放送局のうちから、局個別データを未取得の放送局があるか否かを判定する。そして、制御ユニット１９０は、局個別データを未取得の放送局があると判定した場合には、局個別データ未取得の放送局について局個別データのサーチ取得処理を実行する。
【０１０２】
このため、現在選局している放送局から他の放送局に選局変更した際に、視聴できない期間の発生を抑制しつつ、選局変更後の他の放送局から放送される高画質及び高音質なＢ階層の放送コンテンツの再生を迅速に行うことができる。
【０１０３】
また、本実施形態では、制御ユニット１９０は、車両の位置情報ＰＳＩ及び放送局リスト情報１８１に基づいて、車両の移動に伴い受信可能な放送局が変化したか否かを判断する。そして、車両の移動に伴い受信可能な放送局が変化したと判断した場合には、制御ユニット１９０は、まず、現在視聴中の放送局の系列局の局個別データが取得済みか否かを判定する。この判定の結果が否定的であった場合には、制御ユニット１９０は、系列局の局個別データ取得の制御をＲＦ処理ユニット１２０E及び復号鍵管理部１３５に対して行い、系列局の局個別データを取得させる。
【０１０４】
その後、制御ユニット１９０は、系列局以外の受信可能な放送局について、局個別データを未取得の放送局があるか否かを判定する。そして、この判定の結果が肯定的であった場合には、制御ユニット１９０は、局個別データ未取得の放送局について局個別データのサーチ取得処理を実行する。
【０１０５】
このように、本実施形態では、受信可能な放送局が変化したときに、現在視聴中の放送局の系列局の局個別データの取得を、他の受信可能な放送局の局個別データの取得に優先させる。このため、車両の移動に伴い選局放送局が系列局に切り替わったとしても、放送番組を再生できない期間の発生を抑制できるため、利用者は、継続性を向上して高画質及び高音質なＢ階層の放送番組の視聴を続けることができる。また、放送地域の変化後であっても、現在選局している放送局から他の放送局に選局変更した際に、選局変更後の放送局から放送される高画質及び高音質なＢ階層の放送コンテンツの再生を迅速に行うことができる。
【０１０６】
したがって、本実施形態によれば、車両の現在位置が移動することにより受信可能な放送局が変化した際に、効率良く放送局のＥＭＭを受信し、高品質の放送コンテンツを視聴できない状態の発生を抑制することができる。
【０１０７】
［実施形態の変形］
本発明は、上記の実施形態に限定されるものではなく、様々な変形が可能である。
【０１０８】
例えば、上記の実施形態では、制御ユニット１９０は、局個別データの取得の有無を放送局リスト情報に記録し、放送局リスト情報の内容に基づいて、受信可能な放送局の局個別情報の有無を判定した。これに対して、制御ユニットは、局個別データ管理部に記録保管されているデータを参照して、受信可能な放送局の局個別データの取得の有無を判定するようにしてもよい。
【０１０９】
また、上記の実施形態では、放送局の系列局情報を予め記憶ユニットに記憶するようにしたが、デジタル放送波からＢＩＴ（Broadcast Information Table）情報における放送局系列識別子（affiliation_ID）を抽出して、現在選局中の放送局の系列局に関する情報を取得するようにしてもよい。
【０１１０】
また、上記の実施形態では、放送波からＥＭＭを受信して局個別データを取得したが、ネットワーク経由で暗号化した局個別データを取得するようにしてもよい。また、局個別データを変更した放送局に関する情報をネットワーク経由で取得し、当該放送局を他の放送局よりも優先的にサーチし、局個別データを取得するようにしてもよい。このような構成にすることで、ネットワーク経由で暗号化された局個別データを取得することによるセキュリティ上のリスクを低減することができる。
【０１１１】
また、上記の実施形態では、現在選局している放送局の局個別データを取得していないと判定した場合には、暗号化されていないＡ階層放送を出力対象放送に選択する選択指令ＳＬＢを生成して、選択部へ送り、この後、現在選局している放送局の局個別データを取得したと判断した場合には、デスクランブルされたＢ階層を出力対象放送に選択する選択指令ＳＬＢを生成して、選択部へ送るようにした。これは、Ａ階層放送とＢ階層放送との番組内容が一致していることを想定した構成である。もし、Ａ階層放送とＢ階層放送との番組内容が一致していないと判断した場合には、現在選局している放送局の局個別データを取得するまでの間にＡ階層放送を出力対象放送に選択しないようにしてもよい。また、Ａ階層放送とＢ階層放送との番組内容が一致していないと判断した場合に、現在選局している放送局の局個別データを取得するまでの間にＡ階層放送を出力対象放送に選択させるか否かを利用者に問い合わせるようにしてもよい。
【０１１２】
また、上記の実施形態では、１つのアンテナと２つのＲＦ処理ユニットとを備えることとしたが、例えば、２つのアンテナを備え、それぞれのアンテナに対応して２つのＲＦ処理ユニットを配設するようにしてもよい。
【０１１３】
また、上記の実施形態では、放送受信装置とは独立して、位置検出ユニットが存在するようにした。これに対し、位置情報の供給を受けることが困難な場合には、位置検出ユニットを放送受信装置が備える構成としてもよい。
【０１１４】
また、上記の実施形態においては、車両に配置される放送受信装置に本発明を適用したが、車両以外の他の移動体に配置される放送受信装置にも本発明を適用することもできるし、スマートフォン等の携帯端末装置に配置される放送受信装置にも本発明を適用することができる。また、家庭内に配置される放送受信装置にも本発明を適用することができる。
【０１１５】
なお、上記の制御ユニットの一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニットの機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１１６】
１００   …  放送受信装置
１２０E  …  ＲＦ処理ユニット（個別情報受信処理部の一部）
１２０C  …  ＲＦ処理ユニット（コンテンツ受信処理部の一部）
１３１E  …  復調部（個別情報受信処理部の一部）
１３１C  …  復調部（コンテンツ受信処理部の一部）
１３２E  …  デマルチプレクサ部（個別情報受信処理部の一部）
１３２C  …  デマルチプレクサ部（コンテンツ受信処理部の一部）
１３５   …  復号鍵管理部（個別情報受信処理部の一部）
１３７   …  コンテンツ復号部（コンテンツ受信処理部の一部）
１７０   …  位置取得ユニット（位置取得部）
１８０   …  記憶ユニット（記憶部）
１９０   …  制御ユニット（制御部）
【図１】
2015144396.tif 000003
【図２】
2015144396.tif 000004
【図３】
2015144396.tif 000005
【図４】
2015144396.tif 000006
【図５】
2015144396.tif 000007
【図６】
2015144396.tif 000008
【図７】
2015144396.tif 000009
【図８】
2015144396.tif 000010
【図９】
2015144396.tif 000011